(57)【特許請求の範囲】
【請求項１】
有効径が同一であって、入射光に対して光路長差を生じさせる構造を有する複数のレンズを有し、
前記複数のレンズの各々は、前記有効径に基づく間隔で配置されることにより、互いに垂直なＸ軸方向及びＹ軸方向により規定される２次元の周期位相構造を構成し、
前記周期位相構造の前記Ｘ軸方向の１周期分の周期位相構造は、前記Ｘ軸方向及び前記Ｙ軸方向に垂直なＺ軸方向において異なる高さが設定された複数の列を有し、
前記周期位相構造の前記Ｙ軸方向の１周期分の周期位相構造は、前記Ｚ軸方向において異なる高さが設定された複数の行を有し、
前記１周期分の周期位相構造の各レンズの前記Ｚ軸方向における高さは、対応する前記列と前記行に設定された各々の高さの和により形成され、
前記１周期分の周期位相構造が２個のレンズの列または行で構成される場合、当該列または行の高さの異なるレンズ間で生じる光路長差は、前記入射光の波長の１／４に設定され、
前記１周期分の周期位相構造が４個のレンズの列または行で構成される場合、当該列または行の高さの異なるレンズ間で生じる光路長差は、前記入射光の波長の１／２に設定されることを特徴とするレンズアレイ。
【請求項２】
前記複数のレンズの各々は、同一形状であることを特徴とする請求項１に記載のレンズアレイ。
【請求項３】
少なくとも１以上のレーザ光源を有する映像投影装置の前記レーザ光源が射出するレーザ光により照射されることを特徴とする請求項１または請求項２に記載のレンズアレイ。
【請求項４】
前記光路長差は、前記レーザ光源が射出するレーザ光のうち最も長い波長に基づき設定されることを特徴とする請求項３に記載のレンズアレイ。
【請求項５】
前記光路長差は、前記レーザ光源が射出するレーザ光のうち最も視感度の高い波長に基づき設定されることを特徴とする請求項３に記載のレンズアレイ。
【請求項６】
前記光路長差は、前記レーザ光源が射出するレーザ光のうち、最も長い波長と、最も視感度の高い波長との間の波長に基づき設定されることを特徴とする請求項３に記載のレンズアレイ。
【発明の詳細な説明】
【技術分野】
【０００１】
本発明は、レンズアレイを用いた表示システムにおける視認性向上に関する。
【背景技術】
【０００２】
従来から、ヘッドアップディスプレイやレーザプロジェクタなどに、マイクロレンズアレイを用いた透過型のスクリーンを適用する技術が提案されている。このようなレンズアレイを用いた場合、拡散板を用いる場合と比較して、スペックルノイズによる影響を抑制することができるという利点がある。一方、ヘッドアップディスプレイなどにおいて中間像生成素子としてレンズアレイを用いた場合、レンズアレイのピッチを小さくすると輝度ムラが発生し、ピッチを大きくすると解像度が低下するという課題がある。この課題に関し、特許文献１には、サグ量の異なるレンズを交互に配置することで、隣接するレンズ間での光路長差を生じさせるレンズアレイが開示されている。
【先行技術文献】
【特許文献】
【０００３】
【特許文献１】特開２０１４−１７０２１３号公報
【発明の概要】
【発明が解決しようとする課題】
【０００４】
特許文献１に記載のように、構造の変化を交互に与えたレンズアレイでは、構造の変化による回折光がレンズアレイそのものの回折光の間の隙間を埋めるように発生するため、輝度ムラを低減することが可能である。一方、構造の変化を交互に与えることにより、一部の回折光が消失してしまい、これにより回折光の間に隙間が生じて輝度ムラの原因となることがあった。
【０００５】
本発明が解決しようとする課題は上記のようなものが例として挙げられる。本発明は、解像度を低下させることなく輝度ムラを好適に抑制することが可能なレンズアレイ及びヘッドアップディスプレイを提供することを主な目的とする。
【課題を解決するための手段】
【０００６】
請求項に記載の発明では、有効径が同一であって、入射光に対して光路長差を生じさせる構造を有する複数のレンズを有し、前記複数のレンズの各々は、前記有効径に基づく間隔で配置されることにより、互いに垂直なＸ軸方向及びＹ軸方向により規定される２次元の周期位相構造を構成し、前記周期位相構造の前記Ｘ軸方向の１周期分の周期位相構造は、前記Ｘ軸方向及び前記Ｙ軸方向に垂直なＺ軸方向において異なる高さが設定された複数の列を有し、前記周期位相構造の前記Ｙ軸方向の１周期分の周期位相構造は、前記Ｚ軸方向において異なる高さが設定された複数の行を有し、前記１周期分の周期位相構造の各レンズの前記Ｚ軸方向における高さは、対応する前記列と前記行に設定された各々の高さの和により形成され、前記１周期分の周期位相構造が２個のレンズの列または行で構成される場合、当該列または行の高さの異なるレンズ間で生じる光路長差は、前記入射光の波長の１／４に設定され、前記１周期分の周期位相構造が４個のレンズの列または行で構成される場合、当該列または行の高さの異なるレンズ間で生じる光路長差は、前記入射光の波長の１／２に設定されることを特徴とする。
【図面の簡単な説明】
【０００７】
【図１】ヘッドアップディスプレイの概略構成を示す。
【図２】スクリーンのＹＺ平面での側面図を示す。
【図３】マイクロレンズアレイの構造を示す。
【図４】マイクロレンズアレイに重畳されたＸ軸方向の周期位相構造とＹ軸方向の周期位相構造とをそれぞれ示す。
【図５】Ｘ軸方向の周期位相構造、Ｙ軸方向の周期位相構造、及び重畳単位ブロックにより生じる回折光の分布を示す。
【図６】レンズ周期の４倍の周期構造を有するマイクロレンズアレイの構造を示す。
【図７】レンズアレイ成分のみを考慮した場合、段差成分のみを考慮した場合、その両方を考慮した場合の比較例に係る回折光のＹＺ平面図を示す。
【図８】レンズアレイ成分のみを考慮した場合、段差成分のみを考慮した場合、その両方を考慮した場合の比較例に係る回折光の分布を示す。
【０００８】
【図９】比較例に係るマイクロレンズアレイの正面図を示す。
【図１０】比較例及び実施例のそれぞれのマイクロレンズアレイを用いて回折光を実験的に発生させた場合の回折光の広がりを示した図である。
【図１１】Ｘ軸方向の周期位相構造又はＹ軸方向の周期位相構造に基づく０次回折光及び１次回折光のそれぞれに対する光量と光路長差との関係を示す。
【図１２】周期長がレンズ周期の２倍となる場合の適正な光路長差を説明する図である。
【図１３】周期長がレンズ周期の４倍となる場合の適正な光路長差を説明する図である。
【図１４】重畳単位ブロックと入射スポットとの関係を示す。
【図１５】変形例に係るマイクロレンズアレイの構造を説明する図である。
【図１６】変形例に係るマイクロレンズアレイの構造を説明する図である。
【図１７】変形例に係るスクリーンの構造を示す。
【発明を実施するための形態】
【０００９】
本発明の１つの好適な実施形態では、レンズアレイは、有効径が同一であって、入射光に対して光路長差を生じさせる構造を有する複数のレンズを有し、前記複数のレンズの各々は、前記有効径に基づく間隔で配置されることにより、互いに垂直なＸ軸方向及びＹ軸方向により規定される２次元の周期位相構造を構成し、前記周期位相構造は、前記複数のレンズの前記Ｘ軸方向の周期位相構造が有する前記光路長差と前記複数のレンズの前記Ｙ軸方向の周期位相構造が有する前記光路長差の和により形成される。
【００１０】
上記レンズアレイは、有効径が同一であって、入射光に対して光路長差を生じさせる構造を有する複数のレンズを有する。複数のレンズの各々は、有効径に基づく間隔で配置されることにより、互いに垂直なＸ軸方向及びＹ軸方向により規定される２次元の周期位相構造を構成する。周期位相構造は、複数のレンズのＸ軸方向の周期位相構造が有する光路長差と複数のレンズのＹ軸方向の周期位相構造が有する光路長差の和により形成される。この態様では、レンズアレイは、Ｘ軸方向の周期位相構造と、Ｙ軸方向の周期位相構造とが有する光路長差の和により形成されるため、Ｘ軸方向及びＹ軸方向の両方向に複数の回折光が並んで発生する。従って、この態様によれば、解像度の低下を伴うレンズの有効径の拡大を行うことなく回折光の間隔を密にすることができ、輝度ムラを好適に抑制することができる。
【００１１】
上記レンズアレイの好適な例では、前記Ｘ軸方向の１周期分の周期位相構造は、２個又は４個の前記レンズの列により構成され、前記Ｙ軸方向の１周期分の周期位相構造は、２個又は４個の前記レンズの行により構成される。
【００１２】
上記レンズアレイの一態様では、前記１周期分の周期位相構造が２個の前記レンズの列または行で構成される場合、当該周期位相構造が有する光路長差は、前記入射光の波長の略１／４に設定され、前記１周期分の周期位相構造が４個の前記レンズの列または行で構成される場合、当該周期位相構造が有する光路長差は、前記入射光の波長の略１／２に設定される。この態様により、照射される回折光の光量を好適に均一化することができる。
【００１３】
上記レンズアレイの他の一態様では、前記光路長差は、前記Ｘ軸方向及び前記Ｙ軸方向に垂直なＺ軸方向における前記レンズアレイの段差により生じる。この態様により、Ｘ軸方向の周期位相構造と、Ｙ軸方向の周期位相構造とが有する光路長差の和を生じさせるようにレンズアレイを好適に形成させることができる。
【００１４】
上記レンズアレイの好適な例では、前記複数のレンズの各々は、同一形状であるとよい。
【００１５】
上記レンズアレイの他の好適な例では、レンズアレイは、少なくとも１以上のレーザ光源を有する映像投影装置の前記レーザ光源が射出するレーザ光により照射されるとよい。
【００１６】
上記レンズアレイの他の一態様では、前記光路長差は、前記レーザ光源が射出するレーザ光のうち最も長い波長に基づき設定される。一般に、波長が長いほど、回折光の間隔が広くなる。よって、この態様により、レンズアレイは、全ての波長の光に対して好適に視点位置での光強度分布の隙間を無くすことができる。
【００１７】
上記レンズアレイの他の一態様では、前記光路長差は、前記レーザ光源が射出するレーザ光のうち最も視感度の高い波長に基づき設定される。この態様によっても、レンズアレイは、好適に輝度ムラを抑制することができる。
【００１８】
上記レンズアレイの他の一態様では、前記光路長差は、前記レーザ光源が射出するレーザ光のうち、最も長い波長と、最も視感度の高い波長との間の波長に基づき設定される。この態様によっても、レンズアレイは、好適に輝度ムラを抑制することができる。
【００１９】
上記レンズアレイの好適な例では、前記１周期分の周期位相構造の長さは、前記レーザ光の前記レンズアレイへの入射スポット径の半値全幅の８倍以下である。上記レンズアレイのより好適な例では、前記１周期分の周期位相構造の長さは、前記レーザ光の前記レンズアレイへの入射スポット径の半値全幅の４倍以下である。この態様により、Ｘ軸方向の周期位相構造及びＹ軸方向の周期位相構造に基づく効果を発揮させることができる。
【００２０】
上記レンズアレイの他の一態様では、前記レンズアレイは、レンズアレイ面に反射膜が施されている反射型レンズアレイである。この態様によっても、レンズアレイは、各レンズの有効径を広げることによる解像度低下を防ぎつつ好適に輝度ムラを抑制することができる。
【００２１】
本発明に係る他の好適な実施形態では、ヘッドアップディスプレイは、少なくとも１以上のレーザ光源と、前記レーザ光源が射出するレーザ光により照射される上記記載のレンズアレイと、を備える。この態様により、ヘッドアップディスプレイは、虚像を観察者に視認させる際に、解像度低下を防ぎつつ好適に輝度ムラを抑制することができる。
【実施例】
【００２２】
以下、図面を参照して本発明の好適な実施例について説明する。
【００２３】
［ヘッドアップディスプレイの構成］
図１（Ａ）は、ヘッドアップディスプレイの概略構成図である。ヘッドアップディスプレイは、ウィンドシールド２５及びダッシュボード２９を備える車両の搭乗者に虚像を視認させるシステムであって、主に、光源部１と、スクリーン２と、凹面鏡３と、を備える。
【００２４】
光源部１は、赤（Ｒ）、緑（Ｇ）、青（Ｂ）の各色のレーザ素子を有し、画像信号に基づいて変調されたレーザの合成光を、ＭＥＭＳミラーでスクリーン２上に走査する。
【００２５】
スクリーン２は、光源部１から光が照射された光の発散角を広げることで射出瞳を拡大する。スクリーン２は、複数のマイクロレンズが配列されたマイクロレンズアレイである。スクリーン２から出射された光は、凹面鏡３に入射する。後述するように、スクリーン２には、２つの周期性を有する位相構造（「周期位相構造」とも呼ぶ。）が重畳されており、これによりマイクロレンズアレイにより発生させる回折光よりも回折角の小さい回折光を同時に発生させる。以後では、スクリーン２が生成する中間像の横方向を「Ｘ軸」、縦方向を「Ｙ軸」、スクリーン２の入射面と垂直な方向を「Ｚ軸」とし、各正方向を図示のように定める。
【００２６】
凹面鏡３は、スクリーン２から出射されたレーザ光を反射し、ウィンドシールド２５へ到達させる。この場合、凹面鏡３は、レーザ光を反射することで、当該光が示す画像を拡大させる。凹面鏡３で反射されたレーザ光は、さらにウィンドシールド２５で反射され、観察者の目の位置（「アイポイントＰｅ」とも呼ぶ。）へ到達する。これにより、観察者は、虚像を視認する。
【００２７】
なお、図１（Ａ）に示すヘッドアップディスプレイの構成は一例であり、本発明が適用可能な構成は、これに限定されない。例えば、図１（Ｂ）に示すヘッドアップディスプレイでは、スクリーン２が反射型のマイクロレンズアレイとなっており、当該反射型マイクロレンズアレイにより、光源部１から照射された光の拡散角を広げることで射出瞳を拡大する構成であってもよい。他の例では、図１（Ｃ）に示すヘッドアップディスプレイのように、ウィンドシールド２５とアイポイントＰｅとの間に半透明の凹面鏡であるコンバイナを設け、光源部１とスクリーン２を適切に配置し、レーザ光をコンバイナで反射することで、光源部１のレーザ光をアイポイントＰｅへ到達させて虚像を運転者に視認させてもよい。
【００２８】
［スクリーンの構成］
図２は、スクリーン２の側面図を示す。図２に示すように、光源１からの光が入射されるスクリーン２の入射面には、Ｚ軸方向の高さが異なるマイクロレンズ２１が並べられたマイクロレンズアレイ２０が形成されている。ここで、全てのマイクロレンズ２１は、有効径及び開口数が等しく、同一形状となる。そして、マイクロレンズ２１間のＺ軸方向での高低差（単に「段差」とも呼ぶ。）は、入射光の光路長差を生じさせるために設けられている。
【００２９】
図３は、マイクロレンズアレイ２０の正面図を示す。図３では、マイクロレンズアレイ２０は、Ｚ軸方向の高さ「ａ」のマイクロレンズ２１ａと、Ｚ軸方向の高さ「ｂ」のマイクロレンズ２１ｂと、Ｚ軸方向の高さ「ｃ」のマイクロレンズ２１ｃと、Ｚ軸方向の高さ「ｄ」のマイクロレンズ２１ｄとを有する。図３では、マイクロレンズ２１ａ〜２１ｄに対し、対応するＺ軸方向の高さを示す記号が表記されている。
【００３０】
図３に示すマイクロレンズアレイ２０において、縦２列及び横２行の４個のマイクロレンズ２１ａ〜２１ｄにより構成された矩形領域（例えば枠７０内の領域）は、マイクロレンズアレイ２０の周期的な位相構造の単位ブロック（「重畳単位ブロック」とも呼ぶ。）となる。この重畳単位ブロックは、Ｘ軸方向の周期位相構造とＹ軸方向の周期位相構造との重ね合わせにより形成される。以後では、重畳単位ブロックのＸ軸方向の幅を「Ｘ軸周期長Ｌｘ」、重畳単位ブロックのＹ軸方向の幅を「Ｙ軸周期長Ｌｙ」と呼ぶ。本実施例では、Ｘ軸周期長ＬｘとＹ軸周期長Ｌｙは、共に、マイクロレンズ２１の周期（「レンズ周期ＰＬ」とも呼ぶ。）の２倍に設定されている。
【００３１】
図４（Ａ）は、図３のマイクロレンズアレイ２０に重ね合わされたＸ軸方向の周期位相構造を示し、図４（Ｂ）は、図３のマイクロレンズアレイ２０に重ね合わされたＹ軸方向の周期位相構造を示す。なお、図４（Ａ）、（Ｂ）では、説明の便宜上、周期位相構造のＸＹ平面図に加えて、各位置でのＺ軸方向の高さを概略的に示すグラフについても図示している。
【００３２】
図４（Ａ）に示すＸ軸方向の周期位相構造は、Ｚ軸方向の高さ「ｅ」の短冊領域２５ｅと、Ｚ軸方向の高さ「ｆ」の短冊領域２５ｆとを有し、短冊領域２５ｅ、２５ｆは、Ｘ軸方向を短手方向としてＸ軸方向に交互に並べられている。そして、短冊領域２５ｅと短冊領域２５ｆとの段差「ｆ−ｅ」は、「λ／４」（λは入射する光の波長）だけ光路長差を生じさせるように構成されている。光路長差を「λ／４」に設定する根拠については、［光路長差の設定］のセクションで詳しく説明する。
【００３３】
なお、スクリーン２の屈折率を「ｎ」、空気の屈折率を「ｎ０」とすると、マイクロレンズアレイ２０に形成される段差「Δ」により生じる光路長差は、「Δ×（ｎ−ｎ０）」となる。よって、図４（Ａ）の場合、
（ｆ−ｅ）×（ｎ−ｎ０）＝λ／４  式（１）
が成立するように、高さ「ｆ」、「ｅ」を設定すればよい。
【００３４】
また、図４（Ｂ）に示すＹ軸方向の周期位相構造は、Ｚ軸方向の高さ「ｇ」の短冊領域２５ｇと、Ｚ軸方向の高さ「ｈ」の短冊領域２５ｈとを有し、短冊領域２５ｇ、２５ｈは、Ｙ軸方向を短手方向としてＹ軸方向に交互に並べられている。そして、短冊領域２５ｇと短冊領域２５ｈとの段差「ｈ−ｇ」は、「λ／４」だけ光路長差を生じさせるように構成されている。よって、図４（Ｂ）の場合、
（ｈ−ｇ）×（ｎ−ｎ０）＝λ／４  式（２）
が成立するように、高さ「ｇ」、「ｈ」を設定すればよい。
【００３５】
図３に示すマイクロレンズアレイ２０は、図４（Ａ）、（Ｂ）に示す周期位相構造が重ねられた構造を有する。この場合、マイクロレンズ２１ａは短冊領域２５ｆと短冊領域２５ｇとの重ね合わせ、マイクロレンズ２１ｂは短冊領域２５ｅと短冊領域２５ｇとの重ね合わせ、マイクロレンズ２１ｃは短冊領域２５ｅと短冊領域２５ｈとの重ね合わせ、マイクロレンズ２１ｄは短冊領域２５ｆと短冊領域２５ｈとの重ね合わせにより形成されている。即ち、この場合、マイクロレンズ２１ａ〜２１ｄのＺ軸方向の高さ「ａ」〜「ｄ」は、
ａ＝ｆ＋ｇ
ｂ＝ｅ＋ｇ
ｃ＝ｅ＋ｈ
ｄ＝ｆ＋ｈ
となるように設定される。
【００３６】
ここで、短冊領域２５ｅ、２５ｇのＺ軸方向の高さ「ｅ」、「ｇ」をそれぞれ「０」とした場合、
ａ＝ｆ
ｂ＝０
ｃ＝ｈ
ｄ＝ｆ＋ｈ
が成立する。よって、マイクロレンズ２１ａ〜２１ｄのＺ軸方向の高さ「ａ」〜「ｄ」を、それぞれ式（１）、（２）の関係に基づき
ａ×（ｎ−ｎ０）＝λ／４
ｂ＝０
ｃ×（ｎ−ｎ０）＝λ／４
ｄ×（ｎ−ｎ０）＝λ／２
が成立するように設定すればよい。即ち、この場合、マイクロレンズ２１ａ、２１ｃとマイクロレンズ２１ｂとの光路長差は「λ／４」、マイクロレンズ２１ｄとマイクロレンズ２１ｂとの光路長差は「λ／２」となるように設計される。
【００３７】
図５は、スクリーン２からアイポイントＰｅと同等の距離だけ離れた仮想的なＸＹ平面（「仮想照射面」とも呼ぶ。）における回折光分布を示す。具体的には、図５（Ａ）は、図４（Ａ）に示すＸ軸方向の周期位相構造により生じる回折光の分布を示し、図５（Ｂ）は、図４（Ｂ）に示すＹ軸方向の周期位相構造により生じる回折光の分布を示し、図５（Ｃ）は、重畳単位ブロックにより生じる回折光の分布を示す。以後では、「ｍ」をＸ軸方向における回折光の次数、「ｎ」をＹ軸方向における回折光の次数とし、２次元の場合の回折光の次数を（ｍ、ｎ）により適宜表す。
【００３８】
図４（Ａ）に示すＸ軸方向の周期位相構造の場合、図５（Ａ）に示すように、−１次、０次、及び１次の回折光がＸ軸方向に並んで形成される。また、図４（Ｂ）に示すＹ軸方向の周期位相構造の場合、図５（Ｂ）に示すように、−１次、０次、及び１次の回折光がＹ軸方向に並んで形成される。このように、周期構造形状の一般的性質として、同一の構造が並ぶ方向に沿ってその垂直方向に回折光が出射される。
【００３９】
そして、Ｘ軸方向の周期位相構造及びＹ軸方向の周期位相構造の両方を備えた重畳単位ブロックの場合、図５（Ｃ）に示すように、次数ｍ、ｎが共に０となる回折光（単に「０次回折光」とも呼ぶ。）の斜めに、次数ｍ及びｎが「±１」となる回折光（「１次回折光」とも呼ぶ。）が発生し、０次回折光の上下左右に、次数ｍまたはｎの一方が「０」となり他方が「±１」となる回折光が発生する。そして、これらの回折光は、ほぼ隙間が生じないように密に配置されている。
【００４０】
なお、図３及び図４の例では、Ｘ軸周期長ＬｘとＹ軸周期長Ｌｙは、レンズ周期ＰＬの２倍に設定されていたが、２倍より大きい整数倍に設定されていてもよい。
【００４１】
図６（Ａ）は、Ｘ軸周期長ＬｘとＹ軸周期長Ｌｙが共にレンズ周期ＰＬの４倍に設定されたマイクロレンズアレイ２０Ａを示す。また、図６（Ｂ）は、図６（Ａ）のマイクロレンズアレイ２０Ａに対するＸ軸方向の周期位相構造を示し、図６（Ｃ）は、図６（Ａ）のマイクロレンズアレイ２０Ａに対するＹ軸方向の周期位相構造を示す。後述するように、この場合の短冊領域２５ｅと短冊領域２５ｆとの段差「ｆ−ｅ」及び短冊領域２５ｇと短冊領域２５ｈとの段差「ｈ−ｇ」により生じさせる適正な光路長差は「λ／２」となる。この根拠については［光路長差の設定］のセクションで詳しく説明する。
【００４２】
［スクリーンの構成に基づく効果］
次に、本実施例のスクリーン２の構成に基づく効果について詳しく説明する。以後では、主として、マイクロレンズアレイ２０の高さ「ａ」と高さ「ｃ」とを等しく、かつ、高さ「ｂ」と高さ「ｄ」とを等しい構成とした比較例に対する効果について述べる。比較例に係るマイクロレンズアレイは、言い換えると、後述する図９に示すように、Ｚ軸方向の高さが異なる２つのマイクロレンズをＸ軸方向及びＹ軸方向に交互に並べたものである。
【００４３】
図７（Ａ）は、マイクロレンズアレイ２０に段差が設けられていないと仮定した場合（即ち、レンズアレイ成分のみを考慮した場合）のＹＺ平面での回折光を示す。また、図８（Ａ）は、図７（Ａ）の場合における仮想照射面での回折光分布（光強度分布）を示す。以後では、回折光分布におけるＸ軸方向又はＹ軸方向での回折光の間隔を単に「回折光間隔」とも呼ぶ。
【００４４】
この場合、図７（Ａ）及び図８（Ａ）に示すように、仮想照射面での各回折光の長径（「回折光サイズ」とも呼ぶ。）は、回折光間隔「ｗ」よりも短く、各回折光の間には隙間が生じている。この隙間が輝度ムラの原因となる。なお、図８（Ａ）に示すように、Ｘ軸方向及びＹ軸方向における回折光間隔よりも、斜め方向における回折光間隔の方が広い。
【００４５】
図７（Ｂ）は、比較例におけるマイクロレンズアレイの段差成分のみを考慮した場合のＹＺ平面での回折光を示す。図８（Ｂ）は、図７（Ｂ）の場合における仮想照射面での回折光分布を示す。比較例の場合、次数ｍ及びｎが「０」となる０次回折光と次数ｍ及びｎが「±１」となる１次回折光が発生し、次数ｍまたはｎの少なくとも一方が偶数となる回折光（「偶数次回折光」ともよぶ。）は発生しない。また、次数が高くなるほど、回折光の強度が小さくなり、３次以降の回折光については無視できる程度に小さい。よって、図７（Ｂ）及び図８（Ｂ）では、３次以降となる回折光については図示していない。なお、０次光と１次光の回折光量の配分は、マイクロレンズアレイの段差により生じる光路長差に依存する。
【００４６】
図７（Ｃ）は、図７（Ａ）、（Ｂ）の各成分を合わせた場合の比較例に係るマイクロレンズアレイのＹＺ平面における回折光を示す。また、図８（Ｃ）は、図７（Ｃ）の場合における仮想照射面での回折光分布を示す。なお、図８（Ｃ）では、見分けやすさのため、０次回折光の色を１次回折光よりも濃く描いている。
【００４７】
図８（Ｃ）に示すように、この場合、仮想照射面には、図８（Ａ）に示される回折光の分布に相当する０次回折光が分布すると共に、各０次回折光の斜め４方向のそれぞれに１次回折光が配置されている。即ち、この場合、段差を設けない図７（Ａ）及び図８（Ａ）の例と比較して、比較的大きい斜めの各隙間に１次回折光が挿入される。従って、この例では、回折光間隔を少ない回折光で効率的に埋めることができる。
【００４８】
図９（Ａ）は、比較例におけるマイクロレンズアレイの正面図を示す。図９（Ａ）では、Ｚ軸方向の高さの異なるマイクロレンズ２１Ｘ、２１ＹがＸ軸方向及びＹ軸方向に交互に並べられている。また、図９（Ｂ）は、マイクロレンズ２１Ｘが並ぶ方向に沿った線９０〜９２と、９３〜９５を示した図である。
【００４９】
図９（Ａ）、（Ｂ）に示すように、比較例では、光路長差が生じない同一高さのマイクロレンズが斜めに配列されている。また、上述したように、回折光は、同一のマイクロレンズが周期的に配列された場合を周期構造形状とみなせるので、当該マイクロレンズが並ぶ方向に沿ってその垂直方向に出射される。よって、比較例では、図８（Ｃ）に示すように、０次回折光の斜め方向に１次回折光が配置されるものの、左右方向（即ちＸ軸方向）と上下方向（即ちＹ軸方向）とにおいて隣接する回折光（即ち次数ｍまたはｎの少なくとも一方が０となる回折光）が発生しない。よって、比較例では、０次回折光の左右上下に隙間が存在することとなり、この隙間が輝度ムラを発生させる原因となるため、改善の余地がある。
【００５０】
以上を勘案し、本実施例に係るマイクロレンズアレイ２０は、Ｘ軸方向の周期位相構造と、Ｙ軸方向の周期位相構造とを兼ね備え、０次回折光の左右上下の隙間を埋める回折光を発生させる。これにより、比較例の場合よりも輝度ムラをより低減させることができる。
【００５１】
図１０（Ａ）は、比較例のマイクロレンズアレイを用いて回折光を実験的に発生させた場合の仮想照射面での回折光分布の例を示し、図１０（Ｂ）は、図１０（Ａ）に対応するＹＺ平面での回折光の広がりを模式的に示した図である。また、図１０（Ｃ）は、本実施例のマイクロレンズアレイ２０を用いて回折光を実験的に発生させた場合の仮想照射面での回折光分布の例を示し、図１０（Ｄ）は、図１０（Ｃ）に対応するＹＺ平面での回折光の広がりを模式的に示した図である。
【００５２】
図１０（Ａ）〜（Ｄ）に示すように、本実施例におけるマイクロレンズアレイ２０は、比較例のマイクロレンズアレイと比較して、回折光が密に存在しており、回折光間の隙間が少ない。よって、本実施例におけるマイクロレンズアレイ２０は、比較例のマイクロレンズアレイと比較して、輝度ムラをより低減させることができる。
【００５３】
［光路長差の設定］
次に、マイクロレンズ２１ａ〜２１ｄ間で発生させる光路長差の適正値について具体的に説明する。概略的には、短冊領域２５ｅと短冊領域２５ｆとの段差「ｆ−ｅ」と、短冊領域２５ｇと短冊領域２５ｈとの段差「ｈ−ｇ」とは、それぞれ、対応するＸ軸周期長Ｌｘ又はＹ軸周期長Ｌｙがレンズ周期ＰＬの２倍のときには約「λ／４」の光路長差が生じる段差に設定され、対応するＸ軸周期長Ｌｘ又はＹ軸周期長Ｌｙがレンズ周期ＰＬの４倍のときには約「λ／２」の光路長差が生じる段差に設定される。この根拠について、以下説明する。
【００５４】
一般に、Ｘ軸方向及びＹ軸方向の周期位相構造を重畳させた周期構造により生じる回折光は、以下の３つの特性を有する。
【００５５】
第１の特性では、Ｘ軸方向及びＹ軸方向の周期位相構造を重畳させた周期構造の場合、次数ｍ、ｎが０以外の偶数次回折光が生じない。第２の特性では、Ｘ軸方向及びＹ軸方向の周期位相構造を重畳させた周期構造の場合、次数ｍ、ｎが３以上の奇数となる回折光が生じるものの、その光量が無視できる程度に小さい。従って、この場合、次数ｍ、ｎが共に−１、０、１のいずれかとなる回折光のみを考慮すればよいことになる。
【００５６】
また、第３の特性として、次数ｍ、ｎが共に−１、０、１のいずれかとなる回折光の光量は、光路長差に依存する。図１１は、マイクロレンズアレイ２０に重畳されるＸ軸方向の周期位相構造又はＹ軸方向の周期位相構造に基づく０次回折光及び１次回折光のそれぞれに対する光量と光路長差との関係を示す。図１１では、グラフ「Ｇ０」は、段差により生じた光路長差と０次回折光の光量との関係を示し、グラフ「Ｇ１」は、段差により生じた光路長差と１次回折光（−１次回折光の場合も含む）の光量との関係を示す。ここで、破線「Ｌ１」は、光路長差が「λ／４」となる位置を示し、破線「Ｌ２」は、光路長差が「λ／２」となる位置を示す。図１１に示すように、光路長差が「λ／４」の場合、０次回折光の光量が１次回折光の光量の２倍となる。また、光路長差が「λ／２」の場合、０次回折光の光量が０となる。
【００５７】
ここで、まず、Ｘ軸周期長Ｌｘがレンズ周期ＰＬの２倍となる図４（Ａ）に示すＸ軸方向の周期位相構造に対する適正な光路長差について考察する。なお、以下の説明は、Ｙ軸周期長Ｌｙがレンズ周期ＰＬの２倍となる図４（Ｂ）に示すＹ軸方向の周期位相構造についても同様に適用される。
【００５８】
図１２（Ａ）は、本実施例に係るマイクロレンズアレイのレンズアレイ成分のみを考慮した場合のＸ軸方向の回折光分布を示す。この場合、回折光の間には、図８（Ａ）での説明と同様、回折光間隔ｗが生じる。図１２（Ｂ）は、本実施例に係るマイクロレンズアレイの周期位相構造成分のみを考慮した場合のＸ軸方向の回折光分布を示す。この場合、回折光として−１次、０次、１次の３つの回折光が発生する。また、Ｘ軸周期長Ｌｘがレンズ周期ＰＬの２倍であるため、回折光間隔は、図１２（Ａ）の場合の半分である「ｗ／２」となる。
【００５９】
図１２（Ｃ）は、本実施例に係るマイクロレンズアレイのレンズアレイ成分及び周期位相構造成分の両方を含むＸ軸方向の回折光分布を示す。この場合、図１２（Ａ）に示す各回折光を０次回折光として、図１２（Ｂ）に示す−１次、０次、１次の回折光がそれぞれ重畳する。この場合、隣り合う０次回折光の−１次回折光と１次回折光とが重なり（破線枠参照）、重なった部分の回折光の光量は、−１次及び１次の回折光の光量との和に相当する。よって、この場合、各回折光の光量を揃えるためには、０次回折光の光量が１次回折光の光量の２倍であることが望ましい。また、図１１に示すように、光路長差が約「λ／４」の場合、０次回折光の光量が１次回折光の光量の２倍となる。以上を勘案し、この場合の適正な光路長差は約「λ／４」となる。
【００６０】
次に、Ｘ軸周期長Ｌｘがレンズ周期ＰＬの４倍となる図６（Ｂ）に示すＸ軸方向の周期位相構造に対する適正な光路長差について考察する。なお、以下の説明は、Ｙ軸周期長Ｌｙがレンズ周期ＰＬの４倍となる図６（Ｃ）に示すＹ軸方向の周期位相構造についても同様に適用される。
【００６１】
図１３（Ａ）は、本実施例に係るマイクロレンズアレイのレンズアレイ成分のみを考慮した場合のＸ軸方向の回折光分布を示す。図１３（Ｂ）は、本実施例に係るマイクロレンズアレイの周期位相構造成分のみを考慮した場合のＸ軸方向の回折光分布を示す。この場合、回折光として−１次、０次、１次の３つの回折光が発生する。また、Ｘ軸周期長Ｌｘがレンズ周期ＰＬの４倍であるため、回折光間隔は、図１３（Ａ）の場合の１／４である「ｗ／４」となる。
【００６２】
図１３（Ｃ）は、本実施例に係るマイクロレンズアレイのレンズアレイ成分及び周期位相構造成分の両方を含むＸ軸方向の回折光分布を示す。この場合、図１３（Ａ）に示す各回折光を０次回折光として、図１３（Ｂ）に示す−１次、０次、１次の回折光がそれぞれ重畳する。この場合、０次回折光が存在すると、回折光分布が一様にならず、０次回折光の存在する領域では、０次回折光の光量分だけ光量が多くなる。よって、この場合、０次回折光の光量が０であることが好ましい。また、図１１に示すように、光路長差が約「λ／２」の場合、０次回折光の光量が０となる。以上を勘案し、この場合の適正な光路長差は約「λ／２」となる。
【００６３】
［入射スポット径に基づく周期長の制限］
次に、マイクロレンズアレイ２０への入射光のスポット径（「入射スポット径」とも呼ぶ。）に基づくＸ軸周期長Ｌｘ及びＹ軸周期長Ｌｙの制限について説明する。Ｘ軸周期長Ｌｘ及びＹ軸周期長Ｌｙは、少なくとも、入射スポット径の半値全幅（ＦＷＨＭ：Ｆｕｌｌ  Ｗｉｄｔｈ  ａｔ  Ｈａｌｆ  Ｍａｘｉｍｕｍ）の８倍以下になるように設定される。より好ましくは、Ｘ軸周期長Ｌｘ及びＹ軸周期長Ｌｙは、入射スポット径の半値全幅の４倍以下になるように設定される。
【００６４】
図１４（Ａ）は、Ｘ軸周期長Ｌｘ及びＹ軸周期長Ｌｙが入射スポット径の半値全幅の８倍より大きい場合の重畳単位ブロックと入射スポット（網掛け領域）との関係を示す。この場合、重畳単位ブロックの大きさに対して入射スポットが小さいため、入射スポットが位相構造の異なる２１ａ〜２１ｄの領域を跨いで照射される時間が短い。従って、この場合、マイクロレンズアレイ２０の周期位相構造による効果が十分に得られないこととなる。
【００６５】
図１４（Ｂ）は、Ｘ軸周期長Ｌｘ及びＹ軸周期長Ｌｙが入射スポット径の半値全幅の８倍である場合の重畳単位ブロックと入射スポット（網掛け領域）との関係を示す。この場合、図１４（Ａ）の場合よりも入射スポットが相対的に大きくなっているため、入射スポットが位相構造の異なる２１ａ〜２１ｄの領域を跨いで照射される時間が相対的に長くなる。よって、この場合、マイクロレンズアレイ２０の周期位相構造による効果が得られる。
【００６６】
図１４（Ｃ）は、Ｘ軸周期長Ｌｘ及びＹ軸周期長Ｌｙが入射スポット径の半値全幅の４倍である場合の重畳単位ブロックと入射スポット（網掛け領域）との関係を示す。この場合、入射スポットが十分に大きく、入射スポットが位相構造の異なる２１ａ〜２１ｄの領域を跨いで照射される時間が長い。よって、この場合、マイクロレンズアレイ２０の周期位相構造による効果が十分に得られる。
【００６７】
［対象となる波長の設定］
次に、波長λの設定方法について述べる。光源部１は、Ｒ、Ｇ、Ｂのそれぞれ異なる波長の光を出射するため、ＲＧＢのいずれの波長を基準として周期位相構造で設けるべき光路長差（λ／２又はλ／４）を規定するかが問題となる。これについて説明する。
【００６８】
一般に、マイクロレンズアレイ２０で発生する回折光の回折角は、波長が長いほど大きくなるため、波長が長いほど回折光間隔が広くなる。よって、波長が最も短い青色光の場合に回折光間隔が最も短くなり、波長が最も長い赤色光の場合に回折光間隔が最も長くなる。
【００６９】
以上を勘案し、第１の好適な例では、回折光間隔が最も長くなる波長（即ち赤色光の波長）を、光路長差を決定する際に用いる波長λとして設定する。これにより、Ｒ、Ｇ、Ｂのいずれのレーザ光においても回折光の強度分布に隙間が生じるのを防ぎ、輝度ムラを好適に抑制することができる。
【００７０】
一方、回折光間隔が波長ごとに大差ない場合には、第２の好適な例として、視感度の最も高い波長（即ち緑色光の波長）を、光路長差を決定する際に用いる波長λとして設定するとよい。また、第３の好適な例として、回折光間隔と視感度の両方を勘案し、最も長い波長と最も視感度の高い波長の中間の波長を、光路長差を決定する際に用いる波長λとして設定してもよい。
【００７１】
以上説明したように、本実施例に係るスクリーン２のマイクロレンズアレイ２０は、有効径が同一であって、入射光に対して光路長差を生じさせる段差が設けられたマイクロレンズ２１ａ〜２１ｄを有する。マイクロレンズ２１ａ〜２１ｄは、有効径に基づく間隔で配置されることにより、互いに垂直なＸ軸方向及びＹ軸方向により規定される２次元の周期位相構造を構成する。この周期位相構造は、Ｘ軸方向の周期位相構造が有する光路長差とＹ軸方向の周期位相構造が有する光路長差の和により形成される。この構成により、マイクロレンズアレイ２０は、解像度低下を防ぎつつ好適に輝度ムラを抑制することができる。
【００７２】
［変形例］
次に、上述の実施例に好適な変形例について説明する。以下に示す変形例は、組み合わせて上述の実施例に適用されてもよい。
【００７３】
（変形例１）
図３及び図６の例に代えて、Ｘ軸周期長Ｌｘは、Ｙ軸周期長Ｌｙと異なるレンズ周期ＰＬの整数倍に設定されてもよい。
【００７４】
図１５（Ａ）は、Ｘ軸周期長Ｌｘをレンズ周期ＰＬの２倍、Ｙ軸周期長Ｌｙをレンズ周期ＰＬの４倍に設定したマイクロレンズアレイ２０Ｂの正面図である。図１５（Ｂ）は、マイクロレンズアレイ２０Ｂに重畳されたＸ軸方向の周期位相構造を示し、図１５（Ｃ）は、マイクロレンズアレイ２０Ｂに重畳されたＹ軸方向の周期位相構造を示す。
【００７５】
この場合、Ｘ軸周期長Ｌｘがレンズ周期ＰＬの２倍であることから、短冊領域２５ｅと短冊領域２５ｆとの段差「ｆ−ｅ」は、上述の式（１）に基づき、「λ／４」の光路長差が生じるように設定される。一方、短冊領域２５ｇと短冊領域２５ｈとの段差「ｈ−ｇ」は、Ｙ軸周期長Ｌｙがレンズ周期ＰＬの４倍であることから、以下の式（３）に基づき、「λ／２」の光路長差が生じるように設定される。
（ｈ−ｇ）×（ｎ−ｎ０）＝λ／２  式（３）
【００７６】
よって、短冊領域２５ｅ、２５ｇのＺ軸方向の高さ「ｅ」、「ｇ」をそれぞれ「０」とした場合、マイクロレンズ２１ａ〜２１ｄのＺ軸方向の高さ「ａ」〜「ｄ」は、それぞれ式（１）、（３）の関係に基づき
ａ×（ｎ−ｎ０）＝λ／４
ｂ＝０
ｃ×（ｎ−ｎ０）＝λ／２
ｄ×（ｎ−ｎ０）＝３λ／４
が成立するように設定されればよい。この場合、マイクロレンズ２１ａ〜２１ｄのそれぞれでＺ軸方向の高さが異なることになる。
【００７７】
図１６（Ａ）は、Ｘ軸周期長Ｌｘをレンズ周期ＰＬの４倍、Ｙ軸周期長Ｌｙをレンズ周期ＰＬの２倍に設定したマイクロレンズアレイ２０Ｃの正面図である。図１６（Ｂ）は、マイクロレンズアレイ２０Ｃに重畳されたＸ軸方向の周期位相構造を示し、図１６（Ｃ）は、マイクロレンズアレイ２０Ｃに重畳されたＹ軸方向の周期位相構造を示す。
【００７８】
この場合、Ｘ軸周期長Ｌｘがレンズ周期ＰＬの４倍であることから、短冊領域２５ｅと短冊領域２５ｆとの段差「ｆ−ｅ」は、以下の式（４）に基づき、「λ／２」の光路長差が生じるように設定される。
（ｆ−ｅ）×（ｎ−ｎ０）＝λ／２  式（４）
【００７９】
一方、短冊領域２５ｇと短冊領域２５ｈとの段差「ｈ−ｇ」は、Ｙ軸周期長Ｌｙがレンズ周期ＰＬの４倍であることから、上述の式（２）に基づき、「λ／４」の光路長差が生じるように設定される。
【００８０】
よって、短冊領域２５ｅ、２５ｇのＺ軸方向の高さ「ｅ」、「ｇ」をそれぞれ「０」とした場合、マイクロレンズ２１ａ〜２１ｄのＺ軸方向の高さ「ａ」〜「ｄ」は、それぞれ式（２）、（４）の関係に基づき
ａ×（ｎ−ｎ０）＝λ／２
ｂ＝０
ｃ×（ｎ−ｎ０）＝λ／４
ｄ×（ｎ−ｎ０）＝３λ／４
が成立するように設定されればよい。
【００８１】
このように、Ｘ軸周期長ＬｘがＹ軸周期長Ｌｙと異なるレンズ周期ＰＬの整数倍に設定された場合であっても、実施例と同様に、回折光間での隙間を好適に少なくして輝度ムラの発生を抑制することができる。
（変形例２）
マイクロレンズアレイ２０は、スクリーン２の入射面に形成されるのに代えて、スクリーン２の入射面と反対側の面に形成されていてもよく、スクリーン２の両面に形成されていてもよい。
（変形例３）
マイクロレンズアレイ２０は、図１７（Ａ）に示すような、レンズアレイ面の反対側の面に反射膜が施されている反射型レンズアレイであってもよい。
【００８２】
この構成では、光がレンズ面を２回通過する。反射型レンズアレイの場合、レンズに対して斜入射で光を入射する場合があり、１回目に光が通過するレンズ面の位置と、反射後に光が通過するレンズ面の位置がずれてしまうことがある。この場合、位置ずれのある２枚のマイクロレンズアレイを通過した場合と同様に、モアレ縞が発生してしまう。
【００８３】
そこで、より好適には、マイクロレンズアレイ２０は、図１７（Ｂ）に示すように、レンズアレイ面に反射膜が施されており、反対側の面に反射防止膜が施された構成を備えるとよい。この場合、光はレンズ面自体で反射されるため、透過型レンズアレイの場合と同様に、レンズアレイによる周期的な位相変調を１回だけ受けることになる。これにより、図１７（Ａ）の構成例で問題となるモアレ縞の発生を防ぐことができるため、より好適である。また、凸凹形状のレンズ面は、付着した汚れを除去することが困難であるが、図１７（Ｂ）の構成では、露出しているレンズ面に汚れ等が付着しても、光に影響を与えることがない。すなわち、レンズアレイ面の汚れによる画質劣化を防ぐことができるという点でも好適である。
【００８４】
他の好適な例では、マイクロレンズアレイ２０は、図１７（Ｃ）に示すように、レンズ面に反射膜が施されており、かつ、レンズ面を光側に配置している構成であるとよい。この場合、光がレンズ面内部を通過しないため、材料の吸収による光量の損出や、材料の複屈折や透過率ムラなどに起因する画質の劣化を防ぐことができるという点で好適である。さらに、図１７（Ｃ）の構成では、反対側の面に反射防止膜を施す必要がなくなるので、部品のコストを下げることができるという点でも好適である。また、この反対側の面は、レンズアレイの性能に影響を与えないので、光学部品に要求される高い面精度を必要としなくなるため、部品の製造難易度を緩和できるため好ましい。さらに、形状の自由度があるので、周辺の部品形状に合わせた設計も可能となり、部品形状の設計自由度が高くなるため、好ましい。
【００８５】
図１７（Ａ）〜（Ｃ）の各マイクロレンズアレイ２０は、例えば、図１（Ｂ）に示すヘッドアップディスプレイのスクリーン２として利用可能である。
【００８６】
（変形例４）
スクリーン４は、ヘッドアップディスプレイに限らず、レーザを光源として使用するプロジェクタ装置における中間像生成用の光学素子としても好適に使用可能である。
【符号の説明】
【００８７】
１  光源部
２  スクリーン
３  凹面鏡
２０、２０Ａ、２０Ｂ、２０Ｃ  マイクロレンズアレイ
２１  マイクロレンズ
【図１】
0006776534.tif 000002
【図２】
0006776534.tif 000003
【図３】
0006776534.tif 000004
【図４】
0006776534.tif 000005
【図５】
0006776534.tif 000006
【図６】
0006776534.tif 000007
【図７】
0006776534.tif 000008
【図８】
0006776534.tif 000009
【図９】
0006776534.tif 000010
【図１０】
0006776534.tif 000011
【図１１】
0006776534.tif 000012
【図１２】
0006776534.tif 000013
【図１３】
0006776534.tif 000014
【図１４】
0006776534.tif 000015
【図１５】
0006776534.tif 000016
【図１６】
0006776534.tif 000017
【図１７】
0006776534.tif 000018